(57)【要約】【課題】本発明は、被装着体に対して係止爪を係止させることによって固定するコネクタ組立体に関し、作業安全性に優れるとともに他部品への損傷防止が図られたコネクタ組立体を提供することを目的とする。【解決手段】一対のラッチアーム１３１，１３２それぞれに形成された係止爪１３１１，１３２１が、互いに外側を向いて突出したものであり、その係止爪１３１１，１３２１をパネル３００のコネクタ取付孔３１０の内縁に係止させた係止状態を除く非係止状態では、保護アーム１４１，１４２の保護片１４１１，１４２１でその係止爪１３１１，１３２１が覆われる。【選択図】        図２
2010211943.tif 000002
【特許請求の範囲】
【請求項１】
コネクタハウジングと、
挿入方向に直交する幅方向における前記コネクタハウジングの両側に配置され、該挿入方向に沿って延在した一対のラッチアームであって、該挿入方向に沿った前端側に、互いに外側を向いて突出した、被装着体に係止する係止爪がそれぞれ形成されたラッチアームと、
前記幅方向における前記コネクタハウジングの両側であって前記一対のラッチアームの内側に隣接してそれぞれ延在した一対の保護アームであって、前記係止爪に対応した位置に、互いに外側を向いて、該係止爪の突出高さ以上の高さに突出して該係止爪を覆う保護片がそれぞれ形成され、該係止爪を前記被装着体に係止させた係止状態では、該被装着体とのカム作用により互いに内向きに撓むことによって該保護片から該係止爪を露出させる保護アームとを備えたことを特徴とするコネクタ組立体。
【請求項２】
互いに隣接して延在した前記ラッチアームと前記保護アームとが、前記挿入方向に沿った後端側で折り曲げられて一体に形成された一枚の板材からなる部材であることを特徴とする請求項１記載のコネクタ組立体。
【請求項３】
前記一対のラッチアームの外側に、該一対のラッチアームそれぞれと隣接して前記挿入方向に沿って延在した一対のアクチュエータアームと、該一対のアクチュエータアームを連結する連結部とを有し、該挿入方向に沿って移動自在に設けられたアクチュエータを備え、
前記一対のアクチュエータアームが、互いに近づく向きに傾斜した斜面を先端にそれぞれ有するものであり、
前記一対のラッチアームのそれぞれが、前記挿入方向とは逆向きに前記アクチュエータが移動することに伴い前記アクチュエータアームの先端の斜面によって押されて該一対のラッチアームを互いに内向きに撓ませ前記被装着体から前記係止爪を外す段部を有するものであることを特徴とする請求項１または２記載のコネクタ組立体。
【請求項４】
前記アクチュエータが、前記挿入方向に沿った前方側に付勢されたものであることを特徴とする請求項３記載のコネクタ組立体。
【請求項５】
前記アクチュエータに連結され前記コネクタハウジングの前記挿入方向に沿った後端側から突出した、可撓性を有する部材からなるプルタブを備えたことを特徴とする請求項３または４記載のコネクタ組立体。
【発明の詳細な説明】
【技術分野】
【０００１】
本発明は、被装着体に対して係止爪を係止させることによって固定するコネクタ組立体に関する。
【背景技術】
【０００２】
従来より、例えばパネルに形成されたコネクタ取付孔や相手コネクタなどといった被装着体に対して係止爪を係止させることによって固定するコネクタが知られている。
【０００３】
このようなコネクタとして、係止爪として機能する外側を向いた握り部を有する係止アームを備えたパネル固定型コネクタが提案されている（例えば、特許文献１参照。）。
【０００４】
また、係止爪として機能する内側を向いたフック部を有するラッチ爪部材を備えたコネクタが提案されている（例えば、特許文献２参照。）。また、このコネクタに備えられたラッチ爪部材のフック部は、シールドカバー組立体の外面から一段引っ込んだ位置に配設されている。そのため、フック部周辺のシールドカバー組立体は、フック部の保護部としての役割も果たしている。
【先行技術文献】
【特許文献】
【０００５】
【特許文献１】実開平６−６０９８１号公報
【特許文献２】特開２００６−２２８７０３号公報
【発明の概要】
【発明が解決しようとする課題】
【０００６】
特許文献１に提案されたパネル固定型コネクタは、係止爪として機能する握り部が外側を向いて露出しているため、このコネクタの取付時や運搬時等にその露出した握り部が電線等の他部品を引っ掛けて損傷を与えてしまうおそれがある。また、このような露出した握り部が金属製である場合には、他部品損傷のおそれに加えて、取り扱い時に作業者の指等を傷付けてしまうおそれがあり、作業安全性に問題がある。
【０００７】
また、特許文献２に提案されたコネクタは、係止爪として機能するフック部が内側を向いており、かつフック部周辺に保護部を有するので、取り扱い時にそのフック部が作業者の指等を傷付けてしまうおそれがない。しかしながら、このようなフック部が外側を向いている場合には、フック部周辺に保護部を有するとはいうもののフック部が露出することとなるため、露出したフック部が指等を傷付けてしまうおそれがあり、作業安全性に問題がある。
【０００８】
本発明は、上記事情に鑑み、作業安全性に優れるとともに他部品への損傷防止が図られたコネクタ組立体を提供することを目的とするものである。
【課題を解決するための手段】
【０００９】
上記目的を達成する本発明のコネクタ組立体は、
コネクタハウジングと、
挿入方向に直交する幅方向における上記コネクタハウジングの両側に配置され、その挿入方向に沿って延在した一対のラッチアームであって、その挿入方向に沿った前端側に、互いに外側を向いて突出した、被装着体に係止する係止爪がそれぞれ形成されたラッチアームと、
上記幅方向における上記コネクタハウジングの両側であって上記一対のラッチアームの内側に隣接してそれぞれ延在した一対の保護アームであって、上記係止爪に対応した位置に、互いに外側を向いて、その係止爪の突出高さ以上の高さに突出してその係止爪を覆う保護片がそれぞれ形成され、その係止爪を上記被装着体に係止させた係止状態では、その被装着体とのカム作用により互いに内向きに撓むことによってその保護片からその係止爪を露出させる保護アームとを備えたことを特徴とする。
【００１０】
本発明のコネクタ組立体は、一対のラッチアームそれぞれに形成された係止爪が、互いに外側を向いて突出したものであるものの、その係止爪を被装着体に係止させた係止状態を除く非係止状態では、保護アームの保護片でその係止爪が覆われる。そのため、本発明のコネクタ組立体によれば、このコネクタ組立体の取付時や運搬時等にその係止爪が電線等の他部品を引っ掛けて損傷を与えてしまうことや、取り扱い時に作業者の指等を傷付けてしまうことが防止される。
【００１１】
ここで、本発明のコネクタ組立体は、互いに隣接して延在した上記ラッチアームと上記保護アームとが、上記挿入方向に沿った後端側で折り曲げられて一体に形成された一枚の板材からなる部材であることが好ましい。
【００１２】
このような好ましい形態によれば、ラッチアームと保護アームとが別部材である場合よりも部品点数が少なく、コネクタ組立体の組立工数やコストの削減が図られる。
【００１３】
また、本発明のコネクタ組立体は、
「上記一対のラッチアームの外側に、これら一対のラッチアームそれぞれと隣接して上記挿入方向に沿って延在した一対のアクチュエータアームと、これら一対のアクチュエータアームを連結する連結部とを有し、その挿入方向に沿って移動自在に設けられたアクチュエータを備え、
上記一対のアクチュエータアームが、互いに近づく向きに傾斜した斜面を先端にそれぞれ有するものであり、
上記一対のラッチアームのそれぞれが、上記挿入方向とは逆向きに上記アクチュエータが移動することに伴い上記アクチュエータアームの先端の斜面によって押されてそれら一対のラッチアームを互いに内向きに撓ませ上記被装着体から上記係止爪を外す段部を有するものである」
ことも好ましい形態である。
【００１４】
このようなアクチュエータを備えたコネクタ組立体によれば、一対のラッチアームそれぞれに形成された係止爪を被装着体に係止させた係止状態で、挿入方向とは逆向きにアクチュエータを移動させることによる、アクチュエータアームの先端の斜面とラッチアームの段部とのカム作用によって、一対のラッチアームそれぞれの係止爪が互いに近づく内向きに変位するため、被装着体から係止爪を容易に外すことができる。
【００１５】
また、本発明のコネクタ組立体のうちの上記アクチュエータを備えたコネクタ組立体は、そのアクチュエータが、上記挿入方向に沿った前方側に付勢されたものであることがさらに好ましい。
【００１６】
このような好ましい形態によれば、ラッチアームの係止爪を被装着体に係止させた係止状態を除く非係止状態において、アクチュエータに、挿入方向とは逆向きに移動させる負荷をかけないときは、挿入方向に沿った前方側への付勢力によって、保護アームの保護片でその係止爪が覆われる状態が保持されるため、作業安全性がより一層優れるとともに他部品への損傷が確実に防止される。また、このような好ましい形態によれば、その係止状態において、被装着体から係止爪を外すために、挿入方向とは逆向きにアクチュエータを移動させた後に、アクチュエータに対する負荷が解かれると、挿入方向に沿った前方側への付勢力によって、アクチュエータが、挿入方向に沿った前方側へ自動的に移動されるため、作業性に優れる。
【００１７】
さらに、本発明のコネクタ組立体のうちの上記アクチュエータを備えたコネクタ組立体は、そのアクチュエータに連結され上記コネクタハウジングの上記挿入方向に沿った後端側から突出した、可撓性を有する部材からなるプルタブを備えたという形態も好ましい。
【００１８】
このようなプルタブを備えたコネクタ組立体によれば、プルタブを引っ張ることによって、挿入方向とは逆向きにアクチュエータを容易に移動させることができるため、被装着体から係止爪を外すときの操作性に優れる。また、そのプルタブが可撓性を有することから、プルタブを引っ張る方向の自由度が高く、作業性に優れる。
【発明の効果】
【００１９】
本発明によれば、作業安全性に優れるとともに他部品への損傷防止が図られたコネクタ組立体が提供される。
【図面の簡単な説明】
【００２０】
【図１】本発明の一実施形態であるコネクタ組立体を前面斜め上から見た外観斜視図である。
【図２】図１に示すコネクタ組立体から上側ハウジングを取り外した状態を前面斜め上から見た外観斜視図である。
【図３】図１に示すコネクタ組立体から上側ハウジングを取り外した状態の平面図である。
【図４】図１に示すコネクタ組立体の分解斜視図である。
【図５】図１に示すコネクタ組立体をパネルのコネクタ取付孔に取り付けた係止状態を斜め下から見た外観斜視図である。
【図６】図１に示すコネクタ組立体をパネルに取り付けた係止状態を側面斜め上から見た外観斜視図である。
【図７】図５，図６に示す係止状態における、上側ハウジングを取り外したコネクタ組立体の平面図である。
【図８】プルタブを矢印Ａ方向と逆向きに引いた状態における、上側ハウジングを取り外したコネクタ組立体の平面図である。
【発明を実施するための形態】
【００２１】
以下、図面を参照して本発明の実施の形態を説明する。
【００２２】
図１は、本発明の一実施形態であるコネクタ組立体１００を前面斜め上から見た外観斜視図である。また、図２は、図１に示すコネクタ組立体１００から上側ハウジング１２１を取り外した状態を前面斜め上から見た外観斜視図であり、図３は、図２に示す状態の平面図である。また、図４は、図１に示すコネクタ組立体１００の分解斜視図である。尚、図４には、図１に示すコネクタ組立体１００を上下反転させて分解してなる各構成要素が示されている。また、図２〜図４には、ケーブル１１１の図示が省略されている。
【００２３】
図１〜図４に示すコネクタ組立体１００は、コネクタ本体１１０と、ハウジング１２０と、２個のラッチ２１０，２２０と、アクチュエータ１５０と、プルタブ１６０と、２個のコイルばね１７０とから構成されている。コネクタ本体１１０およびハウジング１２０は、請求項１にいう「コネクタハウジング」を構成する。
【００２４】
コネクタ本体１１０には、挿入方向である矢印Ａ方向とは逆向きに導出されるケーブル１１１内の電線（図示せず）が接続される電気端子（図示せず）が収容されている。また、コネクタ本体１１０には、上下方向である矢印Ｃ方向に沿って突出した、ハウジング１２０に対して固定するための突起１１２が形成されている。
【００２５】
ハウジング１２０は、コネクタ本体１１０を矢印Ａ方向に沿った前端側（図３における左側）に収容している。このハウジング１２０は、上側ハウジング１２１および下側ハウジング１２２によって構成されている。また、上側ハウジング１２１および下側ハウジング１２２には、コネクタ本体１１０の突起１１２と係合して固定する溝１２３が形成されている。また、上側ハウジング１２１および下側ハウジング１２２には、ラッチ２１０，２２０を固定する溝１２４、アクチュエータ１５０を収容する溝１２５、コイルばね１７０を収容する溝１２６も形成されている。このハウジング１２０は、例えば、亜鉛ダイカストなどといった金属を加工してなるものであり、強度が確保されている。
【００２６】
２個のラッチ２１０，２２０のうちの一方のラッチ２１０は、矢印Ａ方向に沿った後端側で折り曲げられて互いに隣接して延在したラッチアーム１３１および保護アーム１４１が一体に形成された一枚の板材からなる部材である。また、２個のラッチ２１０，２２０のうちの他方のラッチ２２０も、一方のラッチ２１０と同様に、矢印Ａ方向に沿った後端側で折り曲げられて互いに隣接して延在したラッチアーム１３２および保護アーム１４２が一体に形成された一枚の板材からなる部材である。この２個のラッチ２１０，２２０は、例えば、ステンレスなどといった金属を加工してなるものであり、強度が確保されている。
【００２７】
このように、互いに隣接して延在したラッチアームと保護アームとが一枚の板材からなる部材であると、ラッチアームと保護アームとが別部材である場合よりも部品点数が少なく、コネクタ組立体１００の組立工数やコストの削減が図られる。
【００２８】
２個のラッチ２１０，２２０は、矢印Ａ方向に直交する幅方向である矢印Ｂ方向におけるコネクタ本体１１０を挟んだ両側に配置されている。そして、一方のラッチ２１０に形成されたラッチアーム１３１、および他方のラッチ２２０に形成されたラッチアーム１３２は、矢印Ａ方向に沿って延在している。そして、このラッチアーム１３１，１３２には、矢印Ａ方向に沿った後端側に、矢印Ｃ方向に沿って突出した、上側ハウジング１２１および下側ハウジング１２２の溝１２４と係合してハウジング１２０に対して固定するための突起１３１３，１３２３がそれぞれ形成されている。また、このラッチアーム１３１，１３２には、矢印Ａ方向に沿った前端側に、互いに外側を向いて突出した、被装着体の一例である後述するパネル３００のコネクタ取付孔３１０（図５，図６参照）の内縁に係止する係止爪１３１１，１３２１がそれぞれ形成されている。また、このラッチアーム１３１，１３２には、延在の中間部近傍に、段部１３１２，１３２２がそれぞれ形成されている。以下、この２つのラッチアーム１３１，１３２を、一対のラッチアーム１３１，１３２と称する。
【００２９】
また、一方のラッチ２１０に形成された保護アーム１４１、および他方のラッチ２２０に形成された保護アーム１４２は、矢印Ｂ方向におけるコネクタ本体１１０を挟んだ両側であって一対のラッチアーム１３１，１３２の内側に隣接してそれぞれ延在している。また、この保護アーム１４１，１４２には、係止爪１３１１，１３２１に対応した外側の位置に、互いに外側を向いて、その係止爪１３１１，１３２１の突出高さ以上の高さに突出してその係止爪１３１１，１３２１を覆う保護片１４１１，１４２１がそれぞれ形成されている。以下、この２つの保護アーム１４１，１４２を、一対の保護アーム１４１，１４２と称する。
【００３０】
アクチュエータ１５０は、上側ハウジング１２１および下側ハウジング１２２の溝１２５に収容されることによって、２個のラッチ２１０，２２０の外側、すなわち一対のラッチアーム１３１，１３２の外側に、矢印Ａ方向に沿って移動自在に設けられている。このアクチュエータ１５０は、これら一対のラッチアーム１３１，１３２それぞれと隣接して矢印Ａ方向に沿って延在した一対のアクチュエータアーム１５１，１５２と、これら一対のアクチュエータアーム１５１，１５２の矢印Ａ方向に沿った後端側同士を連結する連結部１５３とを有する。また、一対のアクチュエータアーム１５１，１５２は、互いに近づく向きに傾斜した斜面１５１１，１５２１を先端にそれぞれ有する。また、一対のアクチュエータアーム１５１，１５２は、それぞれの延在の中間部近傍に、コイルばね１７０を矢印Ａ方向に沿って収容した貫通長孔１５１２，１５２２を有している。また、この貫通長孔１５１２，１５２２の、矢印Ａ方向に沿った前端側には、互いに内側を向いて突出した、コイルばね１７０の矢印Ａ方向に沿った前方側への変位を規制する突起１５１３，１５２３がそれぞれ形成されている。尚、そのコイルばね１７０の矢印Ａ方向に沿った後方側への変位は、上側ハウジング１２１および下側ハウジング１２２の、コイルばね１７０を収容した溝１２６の、矢印Ａ方向に沿った後端側の内壁１２６１によって規制されている。このような２個のコイルばね１７０によって、アクチュエータ１５０は、矢印Ａ方向に沿った前方側に付勢されている。このアクチュエータ１５０は、例えば、ステンレスなどといった金属を加工してなるものであり、強度が確保されている。
【００３１】
プルタブ１６０は、アクチュエータ１５０の連接部１５３に連結されハウジング１２０の矢印Ａ方向に沿った後端側から突出している。このプルタブ１６０は、可撓性を有する部材、例えば肉厚０．４ｍｍのポリアミド樹脂からなるものである。本実施形態では、アクチュエータ１５０の連接部１５３とプルタブ１６０とが、例えばバーリングを加締めることにより連結して一体化されている。すなわち、プルタブ１６０の、矢印Ａ方向に沿った前端側には、２個の貫通孔１６１が形成されており、また、アクチュエータ１５０の連接部１５３には、バーリング加工が施された２個の貫通孔１５３１が形成されており、連接部１５３に形成された貫通孔１５３１の縁部が、プルタブ１６０に形成された貫通孔１６１の縁部を巻き込むように加締められ、連接部１５３とプルタブ１６０とが一体化されている。
【００３２】
図５は、図１に示すコネクタ組立体１００をパネル３００のコネクタ取付孔３１０に取り付けた係止状態を斜め下から見た外観斜視図であり、図６は、図５に示す係止状態を側面斜め上から見た外観斜視図である。また、図７は、図５，図６に示す係止状態における、上側ハウジング１２１を取り外したコネクタ組立体１００の平面図である。尚、図７には、ケーブル１１１の図示が省略されている。
【００３３】
図５に示すパネル３００は、例えばサーバの筐体パネルであって、このパネル３００には、６個のコネクタ取付孔３１０が等ピッチで形成されている。
【００３４】
コネクタ組立体１００の、パネル３００のコネクタ取付孔３１０への取り付け途中では、一対の係止爪１３１１，１３２１および一対の保護片１４１１，１４２１の双方が、コネクタ取付孔３１０の内縁とのカム作用により互いに内向きに撓んだ状態となる。
【００３５】
そして、図５〜図７に示すように、一対の係止爪１３１１，１３２１をパネル３００のコネクタ取付孔３１０の内縁に係止させた係止状態では、一対の保護アーム１４１，１４２が、コネクタ取付孔３１０の内縁とのカム作用により互いに内向きに撓んだままの状態となる。この一方で、一対の係止爪１３１１，１３２１は、コネクタ取付孔３１０を乗り越え、ラッチ２１０，２２０自身が有するバネ力により互いに外向きに戻り、保護片１４１１，１４２１から係止爪１３１１，１３２１が露出され、コネクタ組立体１００がパネル３００のコネクタ取付孔３１０に固定される。
【００３６】
図８は、プルタブ１６０を矢印Ａ方向と逆向きに引いた状態における、上側ハウジング１２１を取り外したコネクタ組立体１００の平面図である。尚、図８には、ケーブル１１１の図示が省略されている。
【００３７】
図８に示すように、プルタブ１６０を矢印Ａ方向と逆向きに引くと、プルタブ１６０に連結されたアクチュエータ１５０が矢印Ａ方向とは逆向きに移動する。このような、矢印Ａ方向とは逆向きにアクチュエータ１５０が移動することに伴い、アクチュエータアーム１５１，１５２の先端の斜面１５１１，１５２１によって、一対のラッチアーム１３１，１３２それぞれの延在の中間部近傍に形成された段部１３１２，１３２２が内向きに押され、それら一対のラッチアーム１３１，１３２が互いに内向きに撓む。その結果、パネル３００のコネクタ取付孔３１０の内縁と係止爪１３１１，１３２１との係止が外れる。そして、プルタブ１６０を矢印Ａ方向と逆向きに引き続けると、パネル３００のコネクタ取付孔３１０からコネクタ組立体１００が取り外される。このとき、コイルばね１７０を収容した溝１２６の矢印Ａ方向に沿った後端側の内壁１２６１によって矢印Ａ方向に沿った後方側への変位が規制された２個のコイルばね１７０は、一対のアクチュエータアーム１５１，１５２に形成された突起１５１３，１５２３によって圧縮されている。
【００３８】
上述したように、アクチュエータ１５０は、２個のコイルばね１７０によって、矢印Ａ方向に沿った前方側に付勢されている。そのため、パネル３００のコネクタ取付孔３１０の内縁と係止爪１３１１，１３２１との係止を外すために、矢印Ａ方向とは逆向きにアクチュエータ１５０を移動させた後に、アクチュエータ１５０に対する負荷が解かれると、圧縮されたコイルばね１７０の復元力を利用した、矢印Ａ方向に沿った前方側への付勢力によって、アクチュエータ１５０が、矢印Ａ方向に沿った前方側へ自動的に移動される。尚、本実施形態では、圧縮されたコイルばね１７０の復元力を利用した付勢力により、アクチュエータ１５０を自動的に移動する例を挙げて説明したが、例えば引っ張られたコイルばねの復元力を利用した付勢力により、アクチュエータ１５０を自動的に移動してもよい。
【００３９】
以上説明したように、本実施形態のコネクタ組立体１００は、一対のラッチアーム１３１，１３２それぞれに形成された係止爪１３１１，１３２１が、互いに外側を向いて突出したものであるものの、その係止爪１３１１，１３２１をパネル３００のコネクタ取付孔３１０の内縁に係止させた係止状態を除く非係止状態では、保護アーム１４１，１４２の保護片１４１１，１４２１でその係止爪１３１１，１３２１が覆われる。そのため、本実施形態のコネクタ組立体１００によれば、このコネクタ組立体１００の取付時や運搬時等にその係止爪１３１１，１３２１が電線等の他部品を引っ掛けて損傷を与えてしまうことや、取り扱い時に作業者の指等を傷付けてしまうことが防止される。
【００４０】
また、本実施形態のコネクタ組立体１００は、一対のラッチアーム１３１，１３２それぞれに形成された係止爪１３１１，１３２１をパネル３００のコネクタ取付孔３１０の内縁に係止させた係止状態で、挿入方向である矢印Ａ方向とは逆向きにアクチュエータ１５０を移動させることによる、アクチュエータアーム１５１，１５２の先端の斜面１５１１，１５２１とラッチアーム１３１，１３２の段部１３１２，１３２２とのカム作用によって、一対のラッチアーム１３１，１３２それぞれの係止爪１３１１，１３２１が互いに近づく内向きに変位するため、パネル３００のコネクタ取付孔３１０の内縁と係止爪１３１１，１３２１との係止を容易に外すことができる。
【００４１】
また、本実施形態のコネクタ組立体１００は、そのアクチュエータ１５０が、矢印Ａ方向に沿った前方側に付勢されたものであるため、ラッチアーム１３１，１３２の係止爪１３１１，１３２１をパネル３００のコネクタ取付孔３１０の内縁に係止させた係止状態を除く非係止状態において、アクチュエータ１５０に、矢印Ａ方向とは逆向きへ移動させる負荷をかけないときは、矢印Ａ方向に沿った前方側への付勢力によって、保護アーム１４１，１４２の保護片１４１１，１４２１でその係止爪１３１１，１３２１が覆われる状態が保持されるため、作業安全性がより一層優れるとともに他部品への損傷が確実に防止される。
【００４２】
また、本実施形態のコネクタ組立体１００は、プルタブ１６０を備えているため、プルタブ１６０を引っ張ることによって、矢印Ａ方向とは逆向きにアクチュエータ１５０を容易に移動させることができ、パネル３００のコネクタ取付孔３１０の内縁と係止爪１３１１，１３２１との係止を外すときの操作性に優れる。また、そのプルタブ１６０が可撓性を有することから、プルタブ１６０を引っ張る方向の自由度が高く、作業性に優れる。
【００４３】
尚、上述した実施形態では、本発明のコネクタ組立体が、サーバの筐体パネルのコネクタ取付孔に取り付けられるコネクタ組立体である例について説明したが、本発明のコネクタ組立体は、これに限られるものではなく、例えば被装着体として相手コネクタ組立体であってもよく、外側を向いた係止爪が係止される被装着体であれば、いかなる被装着体に取り付けられるコネクタ組立体であってもよい。
【００４４】
また、上述した実施形態では、互いに隣接して延在したラッチアームと保護アームとが一枚の板材からなる部材である例について説明したが、本発明は、これに限られるものではなく、互いに隣接して延在したラッチアームと保護アームとが互いに異なる部材であってもよい。
【００４５】
さらに、上述した実施形態では、コネクタ本体とハウジングが別体である例について説明したが、本発明は、これに限られるものではなく、コネクタ本体およびハウジングの一体でコネクタハウジングを構成してもよい。
【００４６】
さらにまた、上述した実施形態では、本発明のコネクタ組立体が、電気コネクタである例について説明したが、本発明のコネクタ組立体は、これに限られるものではなく、例えば光コネクタであってもよい。
【符号の説明】
【００４７】
１００    コネクタ組立体
１１０    コネクタハウジング（コネクタ本体）
１１１    ケーブル
１１２    突起
１２０    コネクタハウジング（ハウジング）
１２１    上側ハウジング
１２２    下側ハウジング
１２３，１２４，１２５，１２６    溝
１２６１    内壁
２１０，２２０    ラッチ
１３１，１３２    ラッチアーム
１３１１，１３２１    係止爪
１３１２，１３２２    段部
１３１３，１３２３    突起
１４１，１４２    保護アーム
１４１１，１４２１    保護片
１５０    アクチュエータ
１５１，１５２    アクチュエータアーム
１５１１，１５２１    斜面
１５１２，１５２２    貫通長孔
１５１３，１５２３    突起
１５３    連結部
１５３１    貫通孔
１６０    プルタブ
１６１    貫通孔
１７０    コイルばね
３００    パネル
３１０    コネクタ取付孔
【図１】
2010211943.tif 000003
【図２】
2010211943.tif 000004
【図３】
2010211943.tif 000005
【図４】
2010211943.tif 000006
【図５】
2010211943.tif 000007
【図６】
2010211943.tif 000008
【図７】
2010211943.tif 000009
【図８】
2010211943.tif 000010